(57)【要約】【課題】本発明の目的は、マフラー２４、２５の断面変化や３次元的な屈曲に合わせ、自ら変形して取り付け可能となるマフラガード１、２を提供することにある。【解決手段】センタガード４、６と２個のサイドガード５、７とでマフラガード１、２を構成する。そして、センターガード４の両端部において、軸穴４ｄを有するスピンナ４ｂを設け、サイドガード５の片端部を軸部５ｅとして軸穴４ｄに差し込み、センタガイド４とサイドガード５とを互いに折曲可能に取り付ける。また、正面視においてセンタガード６とサイドガード７とを、互いにその一部が重なるように構成し、前記重なる部分の中心部に旋回軸６ｂを設け、前記旋回軸６ｂを介してセンタガード６とサイドガード７を首振り可能に取り付ける。【選択図】　　　　　　　図１
2004114880.tif 000002
【特許請求の範囲】
【請求項１】
センタガードと、正面視において前記センタガードの左右両側にそれぞれ個別に取り付けた、２個のサイドガードとで構成したマフラーに取り付け可能なマフラガードであって、
前記センタガードの両端部と前記サイドガードの片端部との結合部において、前記センタガードと前記サイドガードとを、正面視において前後方向に、互いに折曲可能に取り付けたことを特徴とするマフラガード。
【請求項２】
請求項１に記載したマフラガードにおいて、
２個のサイドガードにそれぞれ穴を有するブラケットを設け、センタガードの両端部と前記サイドガードの片端部との結合部をピンジョイント結合としたことを特徴とするマフラガード。
【請求項３】
請求項１又は請求項２に記載したマフラガードにおいて、
センタガードは、線材を折り曲げて概略長方形の枠としたセンタフレームと、正面視において前記センタフレームの前面より位置を浮かして取り付けたセンタスティックと、前記センタフレームの両端部に取り付けたスピンナであって軸穴を明けたものを有するものとし、
サイドガードは、線材を枠形状に折り曲げてその片端部を軸部としたサイドフレームと、正面視において前記サイドフレームの前面より位置を浮かして取り付けたサイドスティックとを有し、
前記スピンナの前記軸穴に前記サイドガードの片端部の前記軸部を差し込むことにより、前記センターガードと前記サイドガードとをピンジョイント結合したことを特徴とするマフラガード。
【請求項４】
センタガードと、正面視において前記センタガードの左右両側にそれぞれ個別に取り付けた、２個のサイドガードとで構成したマフラーに取り付け可能なマフラガードであって、
正面視において、前記センタガードと前記サイドガードとを、互いにその一部が重なるように取り付け、
前記重なる部分に旋回中心をおき、前記サイドガードを正面視において上下方向に首振り可能に取り付けたことを特徴とするマフラガード。
【請求項５】
請求項４に記載したマフラガードにおいて、
２個のサイドガードにそれぞれ穴を有するブラケットを設け、正面視においてセンタガードと前記サイドガードとの重なる部分にそれぞれ位置する旋回軸を設け、前記旋回軸を介して前記センターガードと前記サイドガードとを互いに首振り可能に取り付けたことを特徴とするマフラガード。
【請求項６】
請求項４又は請求項５に記載したマフラガードにおいて、
センタガードは、線材を折り曲げて直線部と半円部を有する小判形の枠としたセンタフレームと、正面視において前記センタフレームの前面より位置を浮かして取り付けたセンタスティックと、前記センタフレームの前記半円部の中心にそれぞれ位置するようにして、前記センタスティックに取り付けた２個の旋回軸を有するものとし、
サイドガードは、線材を折り曲げて直線部と半円部を有する小判形の枠としたサイドフレームと、正面視において前記サイドフレームの前面より位置を浮かして取り付けたサイドティックと、前記サイドフレームの片側の半円部の中心に軸穴を明けたブラケットを有するものとし、
前記センタガードの前記旋回軸を前記サイドガードの前記軸穴に差し込み、前記センターガードと前記サイドガードとを首振り可能に結合したことを特徴とするマフラガード。
【発明の詳細な説明】
【０００１】
【発明の属する技術分野】
本発明は、高温となるオートバイのマフラーに乗員が接触して、衣服が焼けたり火傷を負うことなどを防止するためのマフラガード、及び、転倒したり障害物に接触したりした場合に、マフラーに傷が付かないように保護するためのマフラガードに関する。
特に、断面形状が変化し３次元的に屈曲する場合が多く、しかも多種類存するマフラーに対して、容易に取り付けることが可能であって、しかも見栄えのよいマフラガードに関する。
【０００２】
【従来の技術】
従来は１枚物のマフラガードしかなかったため、乗員の足が触れやすい部分のマフラーの断面形状が変化したり、３次元的に屈曲している場合などには、断面形状の変化に合わせて折り曲げたり、屈曲に合わせて変形させたマフラガードを製作しなければならなかった。
マフラー毎にその形状に合わせた特殊な形状のマフラガードを使用する従来技術においては、メーカや販売店は多種類のマフラガードを用意しなければならず、その製作や管理のための工数が多く掛かり、長期の製作納期を要したり、コストの点で高い費用を要する問題などを有していた。
また、マフラガードの半製品を用意しておき、取り付ける相手の形状に合わせて現場で変形させた後に、現場溶接を行って完成品とした後に使用する場合もあったが、現場で変形加工や溶接を行うため見栄えの悪いマフラガードしかできない問題があった。
【０００３】
【発明が解決しようとする課題】
本発明は上記した従来技術の欠点を除くためなされたものであって、その目的とするところはマフラーの断面変化や３次元的な屈曲に合わせ、自ら変形して取り付け可能となるマフラガードを提供することにある。
また他の目的は、多種類のマフラーに対し、また多種類の取り付け位置に対して使用可能なマフラガードを提供することにより、製作や管理のための工数が小さく、短納期で安価なマフラガードを提供することにある。
さらに他の目的は、取り付ける相手の形状に合わせて現場で完成品とする場合の有する、見栄えの悪いマフラガードしかできない問題をなくし、いかなる場所に取り付けてもアクセサリーとしての美的外観を有するマフラガードを提供することにある。
【０００４】
【課題を解決するための手段】
請求項１の発明は、センタガードと、正面視において前記センタガードの左右両側にそれぞれ個別に取り付けた、２個のサイドガードとでマフラガードを構成する。
そして、前記センタガードの両端部と前記サイドガードの片端部との結合部において、前記センタガードと前記サイドガードとを、正面視において前後方向に互いに折曲可能に取り付ける。
前記センタガードと前記サイドガードとの間は、蝶番を使用して連結したり、織布、皮革、樹脂、など折れ曲がり可能な材料で連結したり、バネ材や鎖などを使用して連結する方法がある。
請求項２の発明は、請求項１に記載したマフラガードにおいて、
２個のサイドガードにそれぞれ穴を有するブラケットを設け、締結バンドを使用してマフラーに取り付け可能な構成とする。また、センタガードの両端部とサイドガードの片端部との結合部をピンジョイント結合とする。
ピンジョイント結合とは、中心軸たるピンと軸受けたるボス部を介して結合する構成をいう。
請求項３の発明は、請求項１又は請求項２に記載したマフラガードにおいて、
センタガードは、線材を折り曲げて概略長方形の枠としたセンタフレームと、正面視において前記センターフレームの前面より位置を浮かして取り付けたセンタスティックと、前記センタフレームの両端部に取り付けたスピンナであって軸穴を有するものを設けてなるものとする。
サイドガードは、線材を枠形状に折り曲げてその片端部を軸部としたサイドフレームと、正面視において前記サイドフレームの前面より位置を浮かして取り付けたサイドスティックとからなるものとする。
そして、前記スピンナの前記軸穴に前記サイドガードの片端部の前記軸部を差し込み、前記センターガードと前記サイドガードとをピンジョイント結合したマフラガードとする。
【０００５】
請求項４の発明は、センタガードと、正面視において前記センタガードの左右両側にそれぞれ個別に取り付けた、２個のサイドガードとでマフラガードを構成する。
そして正面視において、前記センタガードと前記サイドガードとを、互いにその一部が重なるように取り付ける。
このとき前記重なる部分に中心をおき、前記サイドガードを正面視において上下方向に首振り可能に取り付ける。
前記センタガードに対し前記サイドガードを首振り可能に取り付ける方法としては、一方の外周を半円状にして他方に前記半円外周のガイドを設ける方法や中心部に旋回軸を設ける方法がある。
請求項５の発明は、請求項４に記載したマフラガードにおいて、
２個のサイドガードにそれぞれ穴を有するブラケットを設け、締結バンドを使用してマフラーに取り付け可能な構成とする。また、正面視においてセンタガードと前記サイドガードとの重なる部分にそれぞれ位置する旋回軸を設け、前記旋回軸を介して前記センターガードと前記サイドガードとを互いに首振り可能に取り付ける。
請求項６の発明は、請求項４又は請求項５に記載したマフラガードにおいて、
センタガードは、線材を折り曲げて直線部と半円部を有する小判形の枠としたセンタフレームと、正面視において前記センタフレームの前面より位置を浮かして取り付けたセンタスティックと、前記センタフレームの前記半円部の中心にそれぞれ位置するようにして、前記センタスティックに取り付けた２個の旋回軸を有するものとする。
サイドガードは、線材を折り曲げて直線部と半円部を有する小判形の枠としたサイドフレームと、正面視において前記サイドフレームの前面より位置を浮かして取り付けたサイドティックと、前記サイドフレームの片側の半円部の中心に軸穴を明けたブラケットを有するものする。
そして、前記センタガードの前記旋回軸を前記サイドガードの前記軸穴に差し込み、前記センターガードと前記サイドガードとを首振り可能に結合したマフラガードとする。
【０００６】
【発明の実施の形態】
以下本発明の第１実施例を図１〜図３に示し説明する。第１実施例に係るマフラガード１はセンタガード４と２個のサイドガード５とで構成した。
センタガード４は、線材の一種である鉄線を概略長方形の枠に折り曲げた形状を有するセンタフレーム４ａに対し、鉄線の両端を９０度折り曲げた形状を有するセンタスティック４ｃを、正面視においてセンタフレーム４ａの前面に、前記長方形の上下にある長辺に並行して取り付けて構成した。
また、センタフレーム４ａの前記長方形の左右にある短辺に並行させてその両端部に、軸穴４ｄを有するスピンナ４ｂをそれぞれ取り付けた。
サイドガード５は、鉄線を折り曲げて直線部５ｇと片端部に軸部５ｅを他端に半円部５ｆをそれぞれ有する形状の枠としたサイドフレーム５ａに対し、鉄線の片端をスピンナ４ｂの外周に合わせて折り曲げ、他端を折り曲げて傾斜させた形状を有するサイドスティック５ｂを、正面視においてサイドフレーム５ａの前面に直線部５ｇに並行して取り付けて構成した。
ここで、サイドスティック５ｂはサイドフレーム５ａの半円部５ｆとの接合部に取り付け、スピンナ４ｂとは図２のＣ部で滑り対偶で接するようにした。また、正面視においてサイドフレーム５ａの後面側には穴５ｄを有するブラケット５ｃを取り付けた。
さらに、サイドフレーム５ａの軸部５ｅをスピンナ４ｂの軸穴４ｄに挿入し、軸部５ｅを中心としてセンタガード４とサイドガード５を、互いに折曲可能に取り付けた。
【０００７】
続いて本発明の第２実施例を図４〜図６に示し説明する。第２実施例に係るマフラガード２はセンタガード６と２個のサイドガード７とで構成した。
センタガード６、サイドガード７共に鉄線を小判形の枠に折り曲げてなる、それぞれ直線部６ｄ、７ｃと半円部６ｅ、７ｄとを有するセンタフレーム６ａ、サイドフレーム７ａとし、それぞれ正面視において前面に直線部６ｄ、７ｃと並行にセンタスティック６ｃ、サイドスティック７ｂを取り付けた。
センタスティック６ｃは、鉄線の両端を折り曲げて傾斜させセンタフレーム６ａの半円部６ｅに取り付けた。
サイドスティック７ｂは、鉄線の片端を鉄線の外周に合わせて折り曲げ他端を円弧状に折り曲げた形状とし、センタフレーム６ａの半円部６ｅの外周と図５のＤ部において滑り対偶で接し、他端においてサイドフレーム７ａの半円部７ｄに取り付けた。
また、２個の足部８ｃであってそれぞれ穴８ｄを有する部分と上面８ｂであって軸穴８ａを有する部分とからなるブラケット８をサイドガード７に取り付け、正面視においてサイドガード７の片側の半円部の中心とブラケット８の軸穴８ａとが一致し足部８ｃが後面側に位置するように配置する。
また、センタガード６のセンタスティック６ｃには２個の旋回軸６ｂを取り付け正面視においてセンタガード６の両側の半円部６ｅの中心と旋回軸６ｂの軸心とが一致するようにする。
さらに、旋回軸６ｂの先端部をブラケット８の軸穴８ａに挿入して、旋回軸６ｂとブラケット８とが互いに旋回可能な状態に取り付けた。
【０００８】
本発明は上記のように構成されており図７に示したように、オートバイ２０のマフラー２４、２５に取り付けて使用する。乗員の足がマフラー２４、２５に触れて、衣服が焼けたり皮膚を火傷したりする事故を防止するためである。
オートバイ２０は前輪２１と後輪２２を有し、エンジン２６で後輪２２を駆動することにより走行する。マフラー２４、２５はエンジン２６の排気ガスを後方に排出するため、乗員の腰掛けるサドル２３の下を経由して後輪２２に排出口を向けて取り付けられている。
マフラー２４、２５への取り付けは、ブラケット５ｃ、８の穴５ｄ、８ｄに締結バンド９を通して締結部９ａを締め付けて行う。
実施例１のマフラガード１は図７の正面視に現れる面に対して、マフラー２５が前後に屈曲している場合や、マフラー２４、２５の外径が変化する位置に取り付ける場合に有用である。
一方、実施例２のマフラガード２は図７の正面視に現れる２次元の面内においてマフラー２４が屈曲する位置に取り付ける場合に有用である。
本発明の各実施例では鉄線を折り曲げた構成としたが線材、鉄板、打抜鉄板、金網などで作ることも可能である。
また、センタースティック４ｃ、６ｃやサイドスティック５ｂ、７ｂをセンターフレーム４ａ、６ａやサイドフレーム５ａ、７ａに対して、正面視において前面に位置を浮かして取り付けたが、このためマフラー２４、２５の外周から一定の距離をおいた位置において乗員を保護することができ、全体的にマフラー２４、２５にフィットした好ましい外観を得ることができた。
【０００９】
【発明の効果】
本発明により、マフラーの断面変化や３次元的な屈曲に合わせ、自ら変形して取り付け可能となるマフラガードを提供することができた。
また本発明により、多種類のマフラーに対し、また多くの取り付け位置に対して使用可能なマフラガードを提供したことにより、多種類のマフラガードを用意する場合に比べ、製作や管理の工数が小さく、短納期で安価なマフラガードを提供することができた。
さらに本発明により、取り付ける相手の形状に合わせて現場で加工して完成品とする場合の有する、見栄えの悪いマフラガードしかできない問題をなくし、いかなる場所に取り付けてもアクセサリーとしての美的外観を有するマフラガードを提供することができた。
【図面の簡単な説明】
【図１】本発明に係る第１実施例の正面図である。
【図２】図１のＡ−Ａ視断面図である。
【図３】第１実施例の取り付け状態を示す断面図である。
【図４】本発明に係る第２実施例の正面図である。
【図５】図４のＢ−Ｂ視断面図である。
【図６】第２実施例の取り付け状態を示す断面図である。
【図７】本発明に係るマフラガードを取り付けたオートバイの正面図である。
【符号の説明】
１　：マフラガード　　　２　：マフラガード　　　４　：センタガード
４ａ：センタフレーム　　４ｂ：スピンナ　　　　　４ｃ：センタスティック
４ｄ：軸穴　　　　　　　５　：サイドガード　　　５ａ：サイドフレーム
５ｂ：サイドスティック　５ｃ：ブラケット　　　　５ｄ：穴
５ｅ：軸部　　　　　　　５ｆ：半円部　　　　　　５ｇ：直線部
６　：センタガード　　　６ａ：センタフレーム　　６ｂ：旋回軸
６ｃ：センタスティック　６ｄ：直線部　　　　　　６ｅ：半円部
７　：サイドガード　　　７ａ：サイドフレーム　　７ｂ：サイドスティック
７ｃ：直線部　　　　　　７ｄ：半円部　　　　　　８　：ブラケット
８ａ：軸穴　　　　　　　８ｂ：上面　　　　　　　８ｃ：足部
８ｄ：穴　　　　　　　　９　：締結バンド　　　　９ａ：締結部
２４　：マフラー　　　　２５　：マフラー
【図１】
2004114880.tif 000003
【図２】
2004114880.tif 000004
【図３】
2004114880.tif 000005
【図４】
2004114880.tif 000006
【図５】
2004114880.tif 000007
【図６】
2004114880.tif 000008
【図７】
2004114880.tif 000009